Podtech/llm-jp-corpus-v4-ja_patent huggingface dataset:
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
ポリペプチドであって：
−配列番号１の配列及び配列番号２の配列に由来するキメラペプチドと；
−配列番号６の配列を含む又はそれからなるｃＧＭＰ結合ドメインと；を含み、
−前記ポリペプチドは任意の触媒ドメイン及びその機能的変異体を欠いている、
ポリペプチド。
【請求項２】
前記キメラペプチドが、配列番号３、配列番号４又は配列番号５、及びその機能的変異体からなるか又はそれらを含む、請求項１に記載のポリペプチド。
【請求項３】
前記キメラペプチドが、配列番号３及びその機能的変異体からなるか又はそれらを含む、請求項１に記載のポリペプチド。
【請求項４】
前記ｃＧＭＰ結合ドメインが、配列番号７の配列又は配列番号８の配列、及びその機能的変異体を含む又はそれからなる、請求項１〜３のいずれか１項に記載のポリペプチド。
【請求項５】
前記ｃＧＭＰ結合ドメインが配列番号９の配列又は配列番号１０の配列、及びその機能的変異体を含む又はそれからなる、請求項１〜３のいずれか１項に記載のポリペプチド。
【請求項６】
前記キメラペプチド及び前記ｃＧＭＰ結合ドメインが隣接配列を形成している、請求項１〜５のいずれかに記載のポリペプチド。
【請求項７】
前記キメラペプチドのＣ末端が前記ｃＧＭＰ結合ドメインのＮ末端に融合している、請求項１〜５のいずれかに記載のポリペプチド。
【請求項８】
ペプチドシグナルを含む、請求項１〜７のいずれかに記載のポリペプチド。
【請求項９】
配列番号７の配列又はその機能的変異体のタンデムリピートを含むペプチドシグナルを含む、請求項１〜８のいずれかに記載のポリペプチド。
【請求項１０】
蛍光ペプチドを含む、請求項１〜９のいずれかに記載のポリペプチド。
【請求項１１】
緑色蛍光タンパク質（ＧＦＰ）、シアン蛍光タンパク質（ＣＦＰ）、黄色蛍光タンパク質（ＹＧＰ）、赤色蛍光タンパク質（ＲＦＰ）及びそれらの変異体からなる一覧から選択される蛍光ペプチドを含む、請求項１〜９のいずれかに記載のポリペプチド。
【請求項１２】
請求項１〜１１のいずれかに記載のポリペプチドをコードするポリヌクレオチド。
【請求項１３】
請求項１２に記載のポリヌクレオチドを含む組み換えベクター。
【請求項１４】
請求項１２に記載のポリヌクレオチド又は請求項１３に記載の組み換えベクターで形質転換された宿主細胞又は非ヒト生物。
【請求項１５】
請求項１〜１１のいずれかに記載の少なくとも１つのポリペプチド、請求項１２に記載のポリヌクレオチド、請求項１３に記載のベクター、及び／又は請求項１４に記載の宿主細胞、並びに薬学的に許容される担体を含む医薬組成物。
【請求項１６】
ｉｎ  ｖｉｖｏ及び／又はｉｎ  ｖｉｔｒｏにおける、ｃＧＭＰキレータとしての請求項１〜１１に記載のいずれかのポリペプチド、請求項１２に記載のポリヌクレオチド、又は請求項１３に記載のベクターの非治療的使用。
【請求項１７】
ｉｎ  ｖｉｖｏ及び／又はｉｎ  ｖｉｔｒｏにおける、ｃＧＭＰ濃度の安定化及び／又はｃＧＭＰシグナル伝達の阻害のためのｃＧＭＰキレータとしての請求項１〜１１に記載のいずれかのポリペプチド、請求項１２に記載のポリヌクレオチド、又は請求項１３に記載のベクターの非治療的使用。
【請求項１８】
医薬品として使用するための、請求項１〜１１のいずれかに記載のポリペプチド、請求項１２に記載のポリヌクレオチド、請求項１３に記載のベクター、請求項１４に記載の宿主細胞、又は請求項１５に記載の組成物。
【請求項１９】
細胞内ｃＧＭＰシグナル伝達機能障害に関連する病態；心血管疾患；統合失調症；ハンチントン病；色覚異常；癌；肺疾患；勃起不全及び薬物乱用の予防及び／又は治療における使用のための請求項１〜１１のいずれかに記載のポリペプチド、請求項１２に記載のポリヌクレオチド、請求項１３に記載のベクター、請求項１４に記載の宿主細胞、又は請求項１５に記載の組成物。
【請求項２０】
網膜色素変性の予防及び／又は治療における使用のための請求項１〜１１のいずれかに記載のポリペプチド、請求項１２に記載のポリヌクレオチド、請求項１３に記載のベクター、請求項１４に記載の宿主細胞、又は請求項１５に記載の組成物。
【請求項２１】
脳卒中、静脈血栓症又は動脈血栓症からなる一覧から選択される心血管疾患；結腸直腸癌及び肺癌からなる一覧から選択される癌の予防及び／又は治療における使用のための請求項１〜１１のいずれかに記載のポリペプチド、請求項１２に記載のポリヌクレオチド、請求項１３に記載のベクター、請求項１４に記載の宿主細胞、又は請求項１５に記載の組成物。
【手続補正書】
【提出日】令和3年8月23日(2021.8.23)
【手続補正１】
【補正対象書類名】特許請求の範囲
【補正対象項目名】全文
【補正方法】変更
【補正の内容】
【特許請求の範囲】
【請求項１】
第１のカルシウム結合ドメイン、ペプチドリンカー及び第２のカルシウム結合ドメインを含むポリペプチドであって、前記第１及び第２の結合ドメインは、前記ペプチドリンカーを介して連結されており、
−前記第１のカルシウム結合ドメイン及び前記第２のカルシウム結合ドメインはそれぞれ、ＥＦハンドモチーフに由来する少なくとも１つのカルシウム結合部位を含み、
−前記第１のカルシウム結合ドメイン及び前記第２のカルシウム結合ドメインは、少なくとも１つのカルシウム結合部位が異なる、ポリペプチド。
【請求項２】
前記カルシウム結合部位が、パルブアルブミン、カルモジュリン、カルレチニン、Ｄ２８Ｋ、カルビンジン、リカバリン、ヒポカルシン、ＮＣＳ−１、ＭＥＬＣ、カルシニューリン（Ｃａｃｉｎｅｕｒｉｎ）Ｂ、ＭＲＬＣ、カルトラクチン、ＴｎＣ、スクイジュリン（Ｓｑｕｉｄｕｌｉｎ）、グランカルシン、ソルシン、ＡＬＧ２、カルパイン、ＣａＰＫ、スペクチン、ｓＣａＢＰ、及びＢＭ−４０からなるリストから選択されるタンパク質からの標準的なＥＦハンドモチーフに由来することを特徴とする、請求項１に記載のポリペプチド。
【請求項３】
前記カルシウム結合部位のそれぞれが、配列番号１の配列又はその機能的変異体を有する標準的なＥＦハンドモチーフのカルシウム結合ループを含むか又はそれからなることを特徴とする、請求項１又は２に記載のポリペプチド。
【請求項４】
前記カルシウム結合部位のそれぞれが、配列番号２〜９又はそれらの機能的変異体からなるリストから選択されるカルシウム結合ループを含むか又はそれからなることを特徴とする、請求項１〜３のいずれか一項に記載のポリペプチド。
【請求項５】
前記カルシウム結合部位のそれぞれが、配列番号１０〜１５又はそれらの機能的変異体からなるリストから選択される標準的なＥＦハンドモチーフを含むか又はそれからなることを特徴とする、請求項１〜４のいずれか一項に記載のポリペプチド。
【請求項６】
前記第１のカルシウム結合ドメインが、パルブアルブミンからのＥＦハンドモチーフに由来する少なくとも１つのカルシウム結合部位を含み、前記第２のカルシウム結合ドメインが、カルモジュリンからのＥＦハンドモチーフに由来する少なくとも１つのカルシウム結合部位を含むことを特徴とする、請求項１〜５のいずれか一項に記載のポリペプチド。
【請求項７】
前記第１のカルシウム結合ドメインが、配列番号２〜５及びそれらの機能的変異体からなるリストから選択されるパルブアルブミンからのカルシウム結合ループを含むか又はそれからなる少なくとも１つのカルシウム結合部位を含み、前記第２のカルシウム結合ドメインが、配列番号６〜９及びそれらの機能的変異体からなるリストから選択されるカルモジュリンからのカルシウム結合ループを含むか又はそれからなる少なくとも１つのカルシウム結合部位を含むことを特徴とする、請求項１〜６のいずれか一項に記載のポリペプチド。
【請求項８】
ペプチド信号を含むことを特徴とする、請求項１〜７のいずれか一項に記載のポリペプチド。
【請求項９】
前記ペプチド信号が、本発明のポリペプチドを原形質膜に標的化できることを特徴とする、請求項８に記載のポリペプチド。
【請求項１０】
前記ペプチド信号が、本発明のポリペプチドを原形質膜の脂質ラフトに標的化できる、請求項８に記載のポリペプチド。
【請求項１１】
配列番号２０又は２１の配列又はそれらの機能的変異体のペプチド信号を含むことを特徴とする、請求項１〜７のいずれか一項に記載のポリペプチド。
【請求項１２】
蛍光ペプチドを含むことを特徴とする、請求項１〜１１のいずれか一項に記載のポリペプチド。
【請求項１３】
前記蛍光ペプチドが、緑色蛍光タンパク質（ＧＦＰ）、シアン蛍光タンパク質（ＣＦＰ）、黄色蛍光タンパク質（ＹＦＰ）及び赤色蛍光タンパク質（ＲＦＰ）からなるリストから選択される、請求項１２に記載のポリペプチド。
【請求項１４】
請求項１〜１３のいずれか一項に記載のポリペプチドをコードするポリヌクレオチド。
【請求項１５】
請求項１４に記載のポリヌクレオチドを含む組換えベクター。
【請求項１６】
請求項１４のポリヌクレオチド又は請求項１５の組換えベクターで形質転換された宿主細胞又は非ヒト生物。
【請求項１７】
請求項１〜１３のいずれかに記載の少なくとも１つのポリペプチド、請求項１４に記載のポリヌクレオチド、請求項１５に記載のベクター、及び/又は請求項１６に記載の宿主細胞、並びに薬学的に許容される担体を含む医薬組成物。
【請求項１８】
カルシウムキレート剤としての、請求項１〜１３のいずれかに記載のポリペプチド、請求項１４に記載のポリヌクレオチド、又は請求項１５に記載のベクターの非治療的使用。
【請求項１９】
カルシウム濃度の安定化のための、及び／又はインビボ及び／又はインビトロでのカルシウム信号伝達の阻害のための、請求項１〜１３のいずれかに記載のポリペプチド、請求項１４に記載のポリヌクレオチド、又は請求項１５に記載のベクターの非治療的使用。
【請求項２０】
医薬として使用するための、請求項１〜１３のいずれか一項に記載のポリペプチド、請求項１４に記載のポリヌクレオチド、又は請求項１５に記載の組換えベクター、請求項１６に記載の宿主細胞、又は請求項１７に記載の組成物。
【請求項２１】
細胞内カルシウム信号伝達機能不全の予防及び／又は治療に使用するための、請求項１〜１３のいずれか一項に記載のポリペプチド、請求項１４に記載のポリヌクレオチド、又は請求項１５に記載の組換えベクター、請求項１６に記載の宿主細胞又は請求項１７に記載の組成物。
【請求項２２】
網膜色素変性症、神経変性疾患、てんかん、脳卒中、心不整脈、心不全、高血圧、糖尿病、及び癌に関連する病理の予防及び／又は治療に使用するための、請求項１〜１３のいずれか一項に記載のポリペプチド、請求項１４に記載のポリヌクレオチド、又は請求項１５に記載の組換えベクター、請求項１６に記載の宿主細胞又は請求項１７に記載の組成物。
【請求項２３】
アルツハイマー病の予防及び／又は治療に使用するための、請求項１〜１３のいずれか一項に記載のポリペプチド、請求項１４に記載のポリヌクレオチド、又は請求項１５に記載の組換えベクター、請求項１６に記載の宿主細胞又は請求項１７に記載の組成物。
【手続補正書】
【提出日】令和2年6月15日(2020.6.15)
【手続補正１】
【補正対象書類名】明細書
【補正対象項目名】００６７
【補正方法】変更
【補正の内容】
【００６７】
［実施形態２］
環状部材が、ねじり剛性ｋｔｏｒおよび半径方向剛性ｋｒａｄを有し、ｋｔｏｒ≦３ｋｒａｄである、実施形態１に記載の電気モータまたは発電機アセンブリ。
【手続補正書】
【提出日】令和3年9月9日(2021.9.9)
【手続補正１】
【補正対象書類名】特許請求の範囲
【補正対象項目名】全文
【補正方法】変更
【補正の内容】
【特許請求の範囲】
【請求項１】
以下を含む電力変換システム：
直流（ＤＣ）バス；
前記ＤＣバスに直接電気的に結合されたＤＣ電源；
前記ＤＣバスに直接結合されたインバータ；
電気エネルギー貯蔵装置；および
前記ＤＣバスおよび前記電気エネルギー貯蔵装置に電気的に結合された単独のＤＣ／ＤＣコンバータ。
【請求項２】
前記ＤＣ電源が太陽電池アレイであり、前記電気エネルギー貯蔵装置が全鉄レドックスフローバッテリーである、請求項１に記載の電力変換システム。
【請求項３】
交流（ＡＣ）電力グリッドをさらに含み、前記インバータが前記ＡＣ電力グリッドに電気的に結合される、請求項２に記載の電力変換システム。
【請求項４】
前記ＤＣ／ＤＣコンバータが双方向性である、請求項３に記載の電力変換システム。
【請求項５】
前記ＤＣ／ＤＣコンバータがコントローラを含む、請求項４に記載の電力変換システム。
【請求項６】
電力を前記ＤＣバスから前記電気エネルギー貯蔵装置に輸送するために前記ＤＣ／ＤＣコンバータをバックモードで動作させる、前記コントローラの非一時的メモリに格納された実行可能な命令をさらに備える、請求項５に記載の電力変換システム。
【請求項７】
前記ＤＣ／ＤＣコンバータが、前記ＤＣバスが前記ＤＣ電源に与える電気負荷に応答してバックモードで動作する、請求項６に記載の電力変換システム。
【請求項８】
前記電気負荷が、前記ＤＣ電源を実質的に最大電力追跡点で動作させる電気負荷よりも小さい、請求項７に記載の電力変換システム。
【請求項９】
電力を前記バッテリーから前記ＤＣバスに輸送するために前記ＤＣ／ＤＣコンバータをブーストモードで動作させる、前記コントローラの非一時的メモリに記憶された実行可能な命令をさらに含む、請求項５に記載の電力変換システム。
【請求項１０】
前記ＤＣ／ＤＣコンバータが、前記ＤＣバスが前記ＤＣ電源に与える電気負荷に応答してブーストモードで動作する、請求項９に記載の電力変換システム。
【請求項１１】
前記電気負荷が、前記ＤＣ電源を実質的に最大電力追跡点で動作させる電気負荷よりも大きい、請求項１０に記載の電力変換システム。
【請求項１２】
以下を含む電力変換方法：
太陽電池アレイの動作条件に応答して配電システムの単独のＤＣ／ＤＣコンバータをバックモードで動作させること、前記太陽電池アレイの動作条件に応答して前記配電システムの前記単独のＤＣ／ＤＣコンバータをブーストモードで動作させること、ここで、前記ＤＣ／ＤＣコンバータはＤＣバスに直接電気的に結合され、前記太陽電池アレイは前記ＤＣバスに直接結合され、前記ＤＣバスはインバータに直接電気的に結合される。
【請求項１３】
さらに、以下を含む、請求項１２に記載の方法：
前記太陽電池アレイの出力効率にさらに応答してバックモードまたはブーストモードで前記ＤＣ／ＤＣコンバータを動作させること；および
全鉄レドックスフローバッテリーの作動状態に応じてバックモードまたはブーストモードで前記ＤＣ／ＤＣコンバータを作動させること。
【請求項１４】
前記単独のＤＣ／ＤＣコンバータを介して前記太陽電池アレイからバッテリーに電荷を輸送することをさらに含み、前記バッテリーは、１次コイルおよび２次コイルを含む変圧器を介して前記太陽電池アレイから電気的に絶縁される、請求項１２に記載の方法。
【請求項１５】
バッテリー充電率に応答して前記バックモードで前記ＤＣ／ＤＣコンバータを動作させることをさらに含む、請求項１２に記載の方法。
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
緊急通信サービス・バックアップのための方法であって、
モバイル通信デバイスによって、緊急電話番号に関連付けられた緊急サービスとの緊急通信の開始を検出すること、
モバイル通信サービス・プロバイダに関連付けられた第１の通信パスを使用する前記緊急通信の完了を試行すること、
前記モバイル通信デバイスによって、前記第１の通信パスを使用する前記緊急通信が障害を起こした旨を決定すること、
前記モバイル通信デバイスからの位置および遠隔測定データを使用して、前記障害を起こした緊急通信の宛先の識別を決定すること、ならびに
第２の通信パスを使用して、前記識別された宛先への前記モバイル通信デバイスの接続を容易にすることであって、前記モバイル通信デバイスは、前記決定された宛先に前記接続の発信者として識別される、前記接続を容易にすること、
を含む、緊急通信サービス・バックアップのための方法。
【請求項２】
前記第２の通信パスは、前記モバイル通信サービス・プロバイダのネットワークのこれまで未使用の部分を使用する、請求項１に記載の方法。
【請求項３】
前記第２の通信パスは、前記モバイル通信サービス・プロバイダに関連付けられた緊急通信コンポーネントを迂回する、請求項１または２に記載の方法。
【請求項４】
前記位置および遠隔測定データに基づいて、拡張位置情報を決定すること、ならびに
前記拡張位置情報を前記モバイル通信サービス・プロバイダに提供すること、
をさらに含む、請求項１ないし３のいずれかに記載の方法。
【請求項５】
前記位置は、前記モバイル通信デバイスの緯度および経度を含む、請求項４に記載の方法。
【請求項６】
前記拡張位置情報は、前記モバイル通信デバイスの位置に関連付けられた圧力、高度、または建物の階数のうちの１つまたは複数を含む、請求項４または５に記載の方法。
【請求項７】
更新された位置情報および遠隔測定データを前記モバイル通信デバイスから受信すること、をさらに含み、前記更新された位置情報および遠隔測定データは、前記緊急通信の開始以降の前記モバイル通信デバイスの位置および遠隔測定における変化を含む、
請求項４ないし６のいずれかに記載の方法。
【請求項８】
前記障害を起こした緊急通信を前記モバイル通信サービス・プロバイダに通知すること、をさらに含む、請求項１ないし７のいずれかに記載の方法。
【請求項９】
前記モバイル通信デバイスおよび他のモバイル通信デバイスのうちの少なくとも１つの障害を起こした緊急通信の位置、前記障害を起こした緊急通信の周波数、および前記モバイル通信サービス・プロバイダの識別情報を、追跡すること、
をさらに含む、請求項１ないし８のいずれかに記載の方法。
【請求項１０】
前記障害を起こした緊急通信の履歴情報を記憶すること、
をさらに含む、請求項９に記載の方法。
【請求項１１】
前記履歴情報に基づいて、後続の緊急通信の障害確率を決定すること、および、
前記障害確率に基づいて、後続の緊急通信障害を緩和するための少なくとも１つの予防措置を決定すること、
をさらに含む、請求項１ないし１０のいずれかに記載の方法。
【請求項１２】
前記少なくとも１つの予防措置は、特定の地理的エリア内でのネットワーク・ルーティングを選択的に変更することを含む、請求項１１に記載の方法。
【請求項１３】
緊急通信サービス・バックアップのためのシステムであって、コンピュータ実行可能命令を記憶するように構成されたメモリを備え、前記システムは、
モバイル通信デバイスによって、緊急電話番号に関連付けられた緊急サービスとの緊急通信の開始を検出するための手段、
モバイル通信サービス・プロバイダに関連付けられた第１の通信パスを使用する前記緊急通信の完了を試行するための手段、
前記モバイル通信デバイスによって、前記第１の通信パスを使用する前記緊急通信が障害を起こした旨を決定するための手段、
前記モバイル通信デバイスからの位置および遠隔測定データを使用して、前記障害を起こした緊急通信の宛先の識別を決定するための手段、ならびに
第２の通信パスを使用して、前記識別された宛先への前記モバイル通信デバイスの接続を容易にするための手段であって、前記モバイル通信デバイスは、前記決定された宛先に前記接続の発信者として識別される、前記接続を容易にするための手段、
を備える、緊急通信サービス・バックアップのためのシステム。
【請求項１４】
緊急通信サービス・バックアップのためのコンピュータ・プログラムであって、プロセッサに、請求項１ないし１２のいずれかに記載の方法を実行させるためのプログラム。
【請求項１５】
請求項１４に記載のプログラムを記憶した記憶媒体。
【手続補正書】
【提出日】令和3年10月6日(2021.10.6)
【手続補正１】
【補正対象書類名】特許請求の範囲
【補正対象項目名】全文
【補正方法】変更
【補正の内容】
【特許請求の範囲】
【請求項１】
互いに電気的に直列に配置され、一次充電／放電経路を規定する少なくとも第１及び第２リチウムイオンバッテリーセルと、
前記一次充電／放電経路と電気的に並列に配置されたバランス回路と、を備える装置であって、、前記バランス回路は、
各正ノード及び各負ノードと、各隣接するセル間の少なくとも１つのセル接合部とを含むバランス線と、
各セルと電気的に並列に前記バランス線に存在し、各セル間の電圧を表す信号を生成する各電圧センサと、
各バランスレッグを介して、各電圧センサと電気的に並列な前記バランス線の各セル接合部に接続された各スイッチモード分割器（ＳＭＤ）と、
各バランスレッグに電気的に接続されており、また前記電流センサが接続されている前記バランスレッグを通る電流を前記各ＳＭＤが制限可能とするのに有用な各電流センサと、
各セル間の電圧を均等化するよう前記ＳＭＤを制御する少なくとも１つのコントローラと、を備える、装置。
【請求項２】
前記各ＳＭＤの制御出力Ｖｏは前記各バランスレッグに接続され、第１ＳＭＤは前記負ノードに接続された負側Ｖ−を含み、前記第１ＳＭＤの前記各制御出力Ｖｏは第２ＳＭＤの負側に接続される、請求項１に記載の装置。
【請求項３】
第３ＳＭＤは前記正ノードに結合された正側を含み、前記第３ＳＭＤの前記各制御出力は隣接するＳＭＤの正側に電気的に接続される、請求項２に記載の装置。
【請求項４】
前記電流センサは、前記電流センサが接続された前記バランスレッグを通る電流を表す信号を生成し、前記電流センサからの前記信号は前記コントローラに提供される、請求項１に記載の装置。
【請求項５】
前記コントローラは、前記電流センサからの信号に基づいて前記ＳＭＤを変調して、しきい値電流の大きさを超えないように前記バランスレッグを通る電流を制限する、請求項４に記載の装置。
【請求項６】
前記コントローラは、前記電流センサからの信号に基づいて前記ＳＭＤを変調して、少なくとも１つのセルがバッテリー充電中に満充電電圧に達したときにのみ、しきい値電流の大きさを超えないように前記バランスレッグを通る電流を制限する、請求項５に記載の装置。
【請求項７】
前記コントローラは、前記ＳＭＤを制御してバッテリー充電中にセル間の電圧を均等化するよう構成されている、請求項１に記載の装置。
【請求項８】
前記コントローラは、前記ＳＭＤを制御してバッテリー放電中にセル間の電圧を均等化するよう構成されている、請求項１に記載の装置。
【請求項９】
少なくとも１つの各バッテリーセルに並列に接続可能であり、前記セルの充電中に複数のセル間の電圧を均等化するように動作可能な少なくとも１つのスイッチモード分割器（ＳＭＤ）と、
充電中に前記ＳＭＤから前記セルのうちの少なくとも１つへの電流を前記ＳＭＤが制限できるよう、前記少なくとも１つのＳＭＤの制御出力電圧に関連付けられた少なくとも１つの電流センサと、を備えるアセンブリ。
【請求項１０】
前記バッテリーセルを含み、前記バッテリーセルがリチウムイオンセルを含む、請求項９に記載のアセンブリ。
【請求項１１】
各セルと各ＳＭＤのそれぞれのバランスレッグにおける各電流センサとに関連付けられた複数のＳＭＤと、前記ＳＭＤを変調してセル電圧を均等化する少なくとも１つのコントローラと、を備え、前記コントローラは前記電流センサから情報を受信する、請求項９に記載のアセンブリ。
【請求項１２】
少なくとも１つの電流センサが少なくとも第１ＳＭＤに関連付けられ、また前記コントローラは前記ＳＭＤを変調して、しきい値を満たした状態で前記電流センサが示す電流を維持するように動作可能である、請求項１１に記載のアセンブリ。
【請求項１３】
前記バッテリーセルは、互いに電気的に直列に配置され、一次充電／放電経路を規定し、前記ＳＭＤ及び電流センサは、前記一次充電／放電経路と電気的に並列に配置されたバランス回路の構成要素であり、前記バランス回路は、
各正ノードと、各負ノードと、前記正ノードと前記負ノードとの間のセル接合部と、各セルと並列にバランス線に存在して各セル間の電圧を表す信号を生成する各電圧センサと、を含むバランス線と、
各バランスレッグを介して、各電圧センサと電気的に並列な前記バランス線の各セル接合部に接続された各ＳＭＤと、を含み、前記各電流センサは各セルごとに前記バランスレッグに電気的に接続されて、電流制限構成要素が接続された前記バランスレッグを通る電流を前記各ＳＭＤが制限可能とするのに有用である、請求項１２に記載のアセンブリ。
【請求項１４】
第１ＳＭＤの正側が前記正ノードに結合され、前記第１ＳＭＤの各制御出力電圧が隣接するＳＭＤの正側に接続されている、請求項１３に記載のアセンブリ。
【請求項１５】
第２ＳＭＤの負側が前記負ノードに結合され、前記第２ＳＭＤの制御出力が隣接するＳＭＤの負側に接続されている、請求項１４に記載のアセンブリ。
【請求項１６】
前記コントローラは、前記ＳＭＤを変調して、少なくとも１つのセルがバッテリー充電中に満充電電圧に到達することに応答してのみしきい値を満たす前記電流センサによって示される電流を維持するように動作可能である、請求項１２に記載のアセンブリ。
【請求項１７】
方法であって、
各バッテリーセルに関連付けられた少なくとも１つのスイッチモード分割器（ＳＭＤ）を変調してバッテリー充電中に前記セル間の電圧を均等化することと、
前記少なくとも１つのＳＭＤに関連付けられた少なくとも１つのバランスレッグの電流を制限してしきい値を満たすことと、を含む方法。
【請求項１８】
少なくとも前記制限は、バッテリー充電中に少なくとも１つのセルが満充電電圧に達した後にのみ実行される、請求項１７に記載の方法。
【請求項１９】
前記少なくとも１つのＳＭＤに関連付けられた少なくとも１つのバランスレッグの電流を制限して、コントローラに入力を提供する電流センサを使用し、また前記ＳＭＤを変調して前記電流センサからの前記入力に基づいて前記少なくとも１つのバランスレッグの電流をしきい値に制限するコントローラを使用して、少なくともある程度しきい値を満たすことを含む、請求項１７に記載の方法。
【請求項２０】
前記少なくとも１つのＳＭＤに関連付けられた少なくとも１つのバランスレッグの電流を制限して、バッテリー放電中にしきい値を満たすことを含む、請求項１７に記載の方法。
【請求項２１】
前記コントローラは、前記電流センサからの信号に基づいて前記ＳＭＤを変調し、少なくとも１つのセルがバッテリー充電中に満充電電圧に達する前に、前記バランスレッグを通る電流をしきい値電流の大きさを超えないように制限する、請求項５に記載の装置。
【手続補正２】
【補正対象書類名】明細書
【補正対象項目名】０００５
【補正方法】変更
【補正の内容】
【０００５】
例では、コントローラは、電流センサからの信号に基づいてＳＭＤを変調し、バッテリーの充電中に少なくとも１つのセルが満充電電圧に達したときにのみ、バランスレッグを通る電流をしきい値電流以下に制限する。
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
少なくとも１つの核酸（ＮＡ）結合ドメイン及び少なくとも１つのエクソソームポリペプチドを含む少なくとも１つの融合ポリペプチドを含む細胞外小胞（ＥＶ）であって、前記少なくとも１つのＮＡ結合ドメインが、ＰＵＦ、Ｃａｓ６、Ｃａｓ１３、及び／又はＮＡアプタマー結合ドメインのうちの１つ以上である、ＥＶ。
【請求項２】
少なくとも１つのＮＡカーゴ分子をさらに含む、請求項１に記載のＥＶ。
【請求項３】
前記少なくとも１つのＮＡカーゴ分子が、
（ａ）前記融合ポリペプチドの助けにより前記ＥＶ内に輸送される；並びに／又は
（ｂ）ｓｈＲＮＡ、ｍｉＲＮＡ、ｍＲＮＡ、ｇＲＮＡ、ｐｒｉ−ｍｉＲＮＡ、ｐｒｅ−ｍｉＲＮＡ、環状ＲＮＡ、ｐｉＲＮＡ、ｔＲＮＡ、ｒＲＮＡ、ｓｎＲＮＡ、ＩｎｃＲＮＡ、リボザイム、ミニサークルＤＮＡ、及び／若しくはプラスミドＤＮＡからなる群から選択される、
請求項２に記載のＥＶ。
【請求項４】
各ＮＡカーゴ分子が、（ｉ）前記ＮＡ結合ドメインのための少なくとも１つの結合部位及び（ｉｉ）治療ポリヌクレオチドドメインを含む、請求項２又は３に記載のＥＶ。
【請求項５】
前記ＮＡカーゴ分子が、前記少なくとも１つの結合部位と前記治療ポリヌクレオチドドメインとの間に切断部位を含む、請求項４に記載のＥＶ。
【請求項６】
各ＮＡカーゴ分子が、治療ポリペプチドをコードする、請求項２〜５のいずれか１項に記載のＥＶ。
【請求項７】
前記治療ポリペプチドが、抗体、細胞内抗体、１本鎖可変断片、アフィボディ、酵素、トランスポーター、腫瘍抑制物質、ウイルス又は細菌阻害物質、細胞構成要素タンパク質、ＤＮＡ及び／又はＲＮＡ結合タンパク質、ＤＮＡ修復阻害物質、ヌクレアーゼ、プロテイナーゼ、インテグラーゼ、転写因子、成長因子、アポトーシス阻害物質及び誘導物質、毒素、構造タンパク質、神経栄養因子、膜トランスポーター、ヌクレオチド結合タンパク質、ヒートショックタンパク質、ＣＲＩＳＰＲ関連タンパク質、並びにこれらの任意の組合せからなる群から選択される、請求項６に記載のＥＶ。
【請求項８】
前記融合ポリペプチドが、ＮＡ結合ドメインがＮ及び／若しくはＣ末端側に隣接する少なくとも１つのエクソソームポリペプチドを含み、並びに／又は、前記少なくとも１つのＮＡ結合ドメインが、前記エクソソームポリペプチドの配列内に挿入される、請求項１〜７のいずれか１項に記載のＥＶ。
【請求項９】
前記エクソソームポリペプチドが、ＣＤ９、ＣＤ５３、ＣＤ６３、ＣＤ８１、ＣＤ５４、ＣＤ５０、ＦＬＯＴ１、ＦＬＯＴ２、ＣＤ４９ｄ、ＣＤ７１、ＣＤ１３３、ＣＤ１３８、ＣＤ２３５ａ、ＡＬＩＸ、ＡＡＲＤＣ１、シンテニン−１、シンテニン−２、Ｌａｍｐ２ｂ、ＴＳＰＡＮ８、シンデカン−１、シンデカン−２、シンデカン−３、シンデカン−４、ＴＳＰＡＮ１４、ＣＤ３７、ＣＤ８２、ＣＤ１５１、ＣＤ２３１、ＣＤ１０２、ＮＯＴＣＨ１、ＮＯＴＣＨ２、ＮＯＴＣＨ３、ＮＯＴＣＨ４、ＤＬＬ１、ＤＬＬ４、ＪＡＧ１、ＪＡＧ２、ＣＤ４９ｄ／ＩＴＧＡ４、ＩＴＧＢ５、ＩＴＧＢ６、ＩＴＧＢ７、ＣＤ１１ａ、ＣＤ１１ｂ、ＣＤ１１ｃ、ＣＤ１８／ＩＴＧＢ２、ＣＤ４１、ＣＤ４９ｂ、ＣＤ４９ｃ、ＣＤ４９ｅ、ＣＤ５１、ＣＤ６１、ＣＤ１０４、Ｆｃ受容体、インターロイキン受容体、免疫グロブリン、ＭＨＣ−Ｉ又はＭＨＣ−ＩＩ構成要素、ＣＤ２、ＣＤ３イプシロン、ＣＤ３ゼータ、ＣＤ１３、ＣＤ１８、ＣＤ１９、ＣＤ３０、ＣＤ３４、ＣＤ３６、ＣＤ４０、ＣＤ４０Ｌ、ＣＤ４４、ＣＤ４５、ＣＤ４５ＲＡ、ＣＤ４７、ＣＤ８６、ＣＤ１１０、ＣＤ１１１、ＣＤ１１５、ＣＤ１１７、ＣＤ１２５、ＣＤ１３５、ＣＤ１８４、ＣＤ２００、ＣＤ２７９、ＣＤ２７３、ＣＤ２７４、ＣＤ３６２、ＣＯＬ６Ａ１、ＡＧＲＮ、ＥＧＦＲ、ＧＡＰＤＨ、ＧＬＵＲ２、ＧＬＵＲ３、ＨＬＡ−ＤＭ、ＨＳＰＧ２、Ｌ１ＣＡＭ、ＬＡＭＢ１、ＬＡＭＣ１、ＬＦＡ−１、ＬＧＡＬＳ３ＢＰ、Ｍａｃ−１アルファ、Ｍａｃ−１ベータ、ＭＦＧＥ８、ＳＬＩＴ２、ＳＴＸ３、ＴＣＲＡ、ＴＣＲＢ、ＴＣＲＤ、ＴＣＲＧ、ＶＴＩ１Ａ、ＶＴＩ１Ｂ、及びこれらの任意の組合せからなる群から選択される、請求項１〜８のいずれか１項に記載のＥＶ。
【請求項１０】
前記ＮＡカーゴ分子が、
（ａ）直線状である、環状化されている、並びに／若しくは任意の２次構造及び／若しくは３次構造及び／若しくはその他の構造を有する；並びに／又は
（ｂ）以下：
（ｉ）ｍｉＲＮＡ結合のための部位、
（ｉｉ）ポリＡテール若しくはステムループから選択される少なくとも１つの安定化ドメイン、若しくは
（ｉｉｉ）５’及び／若しくは３’末端における少なくとも１つのハイブリッドＵＴＲ
のうちの１つ以上を含む、
請求項２〜９のいずれか１項に記載のＥＶ。
【請求項１１】
前記ｍｉＲＮＡ結合のための部位が、組織及び／又は細胞タイプ特異的である、請求項１０に記載のＥＶ。
【請求項１２】
請求項１〜１１のいずれか１項に記載のＥＶの集団。
【請求項１３】
（ａ）ＥＶの前記集団全体におけるＥＶ当たりのＮＡカーゴ分子の平均数が、ＥＶ当たり１個超である；
（ｂ）前記集団が、少なくとも２つのサブ集団を含み、
第１のＥＶサブ集団が、ＥＶ当たり平均で融合ポリペプチド１個超を含み、
第２のＥＶサブ集団が、問題とされる前記ＮＡカーゴ分子を、ＥＶ当たり平均で融合ポリペプチド１個超と組み合わせて含む；並びに／又は
（ｃ）全てのＥＶのうちの少なくとも５％、少なくとも１０％、少なくとも２０％、少なくとも５０％、少なくとも７０％、少なくとも７５％、少なくとも８０％、少なくとも８５％、少なくとも９０％、及び／若しくは少なくとも９５％が、少なくとも１つのＮＡカーゴ分子を含む、
請求項１２に記載の集団。
【請求項１４】
請求項１〜１１のいずれか１項に記載のＥＶを生成するインビトロの方法であって、
（ｉ）ＥＶ生成細胞に、少なくとも１つのＮＡ結合ドメイン及び少なくとも１つのエクソソームポリペプチドを含む融合ポリペプチドをコードする少なくとも１つのポリヌクレオチドコンストラクトを導入することであって、前記少なくとも１つのＮＡ結合ドメインが、ＰＵＦ、Ｃａｓ６、Ｃａｓ１３、及び／又はＮＡアプタマー結合ドメインのうちの１つ以上である、導入すること；
（ｉｉ）前記ＥＶ生成細胞内で、前記少なくとも１つのポリヌクレオチドコンストラクトによってコードされる少なくとも１つのポリペプチドコンストラクトを発現させて、それによって前記ＥＶを産生すること
を含む、方法。
【請求項１５】
（ｉ）請求項１〜１１のいずれか１項に記載の少なくとも１つのＥＶ及び／又は（ｉｉ）請求項１２若しくは１３に記載の少なくとも１つのＥＶの集団、並びに医薬的に許容される賦形剤又は担体を含む、医薬組成物。
【請求項１６】
医薬分野で使用するための、（ｉ）請求項１〜１１のいずれか１項に記載の少なくとも１つのＥＶ及び／若しくは（ｉｉ）請求項１２若しくは１３に記載の少なくとも１つのＥＶの集団を含む医薬組成物、又は（ｉｉｉ）請求項１５に記載の医薬組成物。
【誤訳訂正書】
【提出日】令和2年11月13日(2020.11.13)
【誤訳訂正１】
【訂正対象書類名】明細書
【訂正対象項目名】０１３１
【訂正方法】変更
【訂正の内容】
【０１３１】
例１
（５Ｒ）−５−［３−（６−クロロ−２−メチル−１Ｈ−ベンゾ［ｄ］イミダゾール−１−イル）−２−フルオロフェニル］−３−イミノ−２，５−ジメチル−１，２，４−チアジアジナン１，１−ジオキシド
ＤＣＭ（６ｍＬ）中の中間体９（０．１４ｇ、０．２７ｍｍｏｌ）の溶液に、０℃でＴＦＡ（０．４ｍＬ）を添加した。反応混合物を室温で５時間撹拌し、次に減圧濃縮した。粗残留物をジエチルエーテル（５０ｍＬ）で洗浄し、次に凍結乾燥させ、真空下で乾燥させて、淡褐色固体として表題化合物、ＴＦＡ塩（０．０７ｇ、５９％）を得た。δH (400 MHz, DMSO-d6) 1.85 (d, J 2.80 Hz, 1H), 2.34 (s, 3H), 2.41 (s, 3H), 2.94 (d, J 4.00 Hz, 3H), 4.54-4.59 (m, 1H), 4.74-4.80 (m, 1H), 5.30-5.50 (m, 2H), 7.28 (d, J 8.80 Hz, 1H), 7.51-7.60 (m, 1H), 7.67 (d, J 8.80 Hz, 1H), 7.73-7.78 (m, 1H), 10.66 (d, J9.60 Hz, 1H)。LCMS (方法1, ES+) 436 [M+1]+, 1.80分。
【誤訳訂正２】
【訂正対象書類名】明細書
【訂正対象項目名】０１３２
【訂正方法】変更
【訂正の内容】
【０１３２】
例２
（５Ｒ）−５−｛３−［６−クロロ−２−メチル−７−（トリフルオロメチル）−１Ｈ−ベンゾ［ｄ］イミダゾール−１−イル］−２−フルオロ−フェニル｝−３−イミノ−２，５−ジメチル−１，２，４−チアジアジナン１，１−ジオキシド
ＤＣＭ（３ｍＬ）中の中間体１３（０．０３０ｇ、０．０４９ｍｍｏｌ）の溶液に、０℃でＴＦＡ（０．１ｍＬ）を添加した。反応混合物を室温で５時間撹拌し、次に減圧濃縮した。残留物をジエーテル（５０ｍＬ）で洗浄し、次に凍結乾燥させ、真空下で乾燥させて、純度７７％で表題化合物、ＴＦＡ塩（２５ｍｇ、粗製物）を得た。LCMS (方法1, ES+) 504 [M+1]+, 2.20分。
【誤訳訂正３】
【訂正対象書類名】明細書
【訂正対象項目名】０１３３
【訂正方法】変更
【訂正の内容】
【０１３３】
例３
６−クロロ−１−｛２−フルオロ−３−［（５Ｒ）−３−イミノ−２，５−ジメチル−１，１−ジオキソ−１，２，４−チアジアジナン−５−イル］−フェニル｝−２−メチルインドール−３−カルボニトリル
ＤＣＭ（６ｍＬ）中の中間体１４（０．３２ｇ、０．６９ｍｍｏｌ）の溶液に、０℃でＤＣＭ（２ｍＬ）中の［ビス（トロフルオロアセトキシ）インド］ベンゼン（０．３３ｇ、０．７７ｍｍｏｌ）の溶液を滴下した。反応混合物を室温で１６時間撹拌し、次に減圧濃縮した。粗残留物をカラムクロマトグラフィー（シリカ、１００〜２００メッシュ、ＤＣＭ中５％ＭｅＯＨ）及び分取ＨＰＬＣにより精製して、オフホワイト固体として表題化合物（０．０５８ｇ、１６％、アトロプ異性体の混合物）を得た。LCMS (方法1, ESI) 460.00 [M+1]+, 2.40分。
【誤訳訂正４】
【訂正対象書類名】明細書
【訂正対象項目名】０１３４
【訂正方法】変更
【訂正の内容】
【０１３４】
例４
６−クロロ−１−｛２−フルオロ−３−［（５Ｒ）−３−イミノ−２，５−ジメチル−１，１−ジオキソ−１，２，４−チアジアジナン−５−イル］−フェニル｝−Ｎ，Ｎ−ジメチルベンズイミダゾール−２−アミン
ＤＣＭ（８ｍＬ）中の中間体１５（０．１４ｇ、０．２４ｍｍｏｌ）の溶液に、０℃でＴＦＡ（０．４ｍＬ）を添加した。反応混合物を室温で４時間撹拌し、次に減圧濃縮した。粗残留物をジエチルエーテル（２０ｍＬ）及びヘキサン（２０ｍＬ）で洗浄して、オフホワイト固体として表題化合物（ＴＦＡ塩）（０．１０ｇ、８７％、アトロプ異性体の混合物）を得た。δH (400 MHz, DMSO-d6) 1.86 (s, 3H), 2.85 (s, 3H), 2.86 (s, 3H), 3.19 (s, 3H), 4.72 (d, J 14.8 Hz, 1H), 4.84 (d, J14.8 Hz, 1H), 6.80 (s, 1H), 6.93 (s, 1H), 7.20-7.28 (m, 1H), 7.42 (d, J 8.40 Hz, 1H), 7.51-7.58 (m, 1H), 7.72-7.82 (m, 1H), 8.91 (s, 1H), 10.80 (s, 1H)。LCMS (方法1, ESI) 465.00 [M+1]+, 1.48分。
【誤訳訂正５】
【訂正対象書類名】明細書
【訂正対象項目名】０１３５
【訂正方法】変更
【訂正の内容】
【０１３５】
例５
（５Ｒ）−５−｛３−［６−クロロ−２−（ピロリジン−１−イル）ベンズイミダゾール−１−イル］−２−フルオロフェニル｝−２，５−ジメチル−１，１−ジオキソ−１，２，４−チアジアジナン−３−イミン
イソプロパノール（５ｍＬ）中の中間体１７（０．４０ｇ、０．８７ｍｍｏｌ）の溶液に、ピロリジン（０．６２ｇ、８．７９ｍｍｏｌ）を添加した。反応混合物を１６時間９０℃で加熱し、次に減圧濃縮した。粗残留物を分取ＨＰＬＣにより精製して、オフホワイト固体として表題化合物（０．０２５ｇ、６％、アトロプ異性体の混合物）を得た。LCMS (方法1, ESI) 491.00 [M+1]+, 2.21分。
【誤訳訂正６】
【訂正対象書類名】明細書
【訂正対象項目名】０１３６
【訂正方法】変更
【訂正の内容】
【０１３６】
例６
（５Ｒ）−５−｛３−［６−クロロ−２−（モルホリン−４−イル）ベンズイミダゾール−１−イル］−２−フルオロフェニル｝−２，５−ジメチル−１，１−ジオキソ−１，２，４−チアジアジナン−３−イミン
ＤＣＭ（１０ｍＬ）中の中間体１８（０．２０ｇ、０．３２ｍｍｏｌ）の溶液に、０℃でＴＦＡ（０．１８ｇ、１．６５ｍｍｏｌ）を加えた。反応混合物を室温で３時間撹拌し、次に減圧濃縮した。粗残留物を分取ＨＰＬＣにより精製して、オフホワイト固体として表題化合物（ＴＦＡ塩）（０．１３５ｇ、６６％、アトロプ異性体の混合物）を得た。LCMS (方法1, ESI) 507.00 [M+1]+, 2.38分。
【誤訳訂正７】
【訂正対象書類名】明細書
【訂正対象項目名】０１３７
【訂正方法】変更
【訂正の内容】
【０１３７】
例７
（５Ｒ）−５−｛２−フルオロ−３−［６−フルオロ−２−メチル−７−（トリフルオロメチル）ベンズイミダゾール−１−イル］フェニル｝−２，５−ジメチル−１，１−ジオキソ−１，２，４−チアジアジナン−３−イミン
ＤＣＭ（１２ｍＬ）中の中間体２１（０．１３ｇ、０．２２ｍｍｏｌ）の溶液に、０℃でＴＦＡ（０．６ｍＬ）を加えた。反応混合物を室温で６時間撹拌し、次に減圧濃縮した。粗残留物をジエチルエーテル：ヘキサン（２：８、４０ｍＬ）で洗浄して褐色固体として表題化合物（ＴＦＡ塩）（０．０９ｇ、８４％、アトロプ異性体の混合物）を得た。LCMS （方法 1, ESI) 488.00 [M+1]+, 2.40 and 2.4１分。
【誤訳訂正書】
【提出日】令和3年10月19日(2021.10.19)
【誤訳訂正１】
【訂正対象書類名】特許請求の範囲
【訂正対象項目名】全文
【訂正方法】変更
【訂正の内容】
【特許請求の範囲】
【請求項１】
フットウェア・プラットフォームの中の電動式レーシング・エンジンのレース・スプールを回転させるための駆動装置であって、
ギヤ・モータと、
前記ギヤ・モータに機械的に連結されるギヤ・ボックスであって、前記ギヤ・モータの反対側に延びる駆動軸を含むギヤ・ボックスと、
前記駆動軸にスライド可能にキー係合されるウォーム駆動部であって、ギヤ・モータの作動に応じて前記ウォーム駆動部の回転を制御するウォーム駆動部と、
前記ウォーム駆動部のねじ面に係合するギア歯を含むウォーム・ギアであって、前記ウォーム駆動部の回転に応じて前記ウォーム・ギアの回転を生じさせ、前記フットウェア・プラットフォーム上のレース・ケーブルを締め付けるかもしくは緩めるために、前記ウォーム駆動部の回転時に前記レース・スプールを回転させるウォーム・ギアと、
前記ウォーム駆動部の前記ギヤ・ボックスと反対側において前記駆動軸に連結されたブッシングと、
を備え、
前記ブッシングは、前記ウォーム駆動部からの軸方向の荷重を前記電動式レーシング・エンジンのハウジングの一部に伝達するように動作可能であり、
前記ブッシングにスライド可能に係合する前記ウォーム駆動部から前記軸方向の荷重が生成される、駆動装置。
【請求項２】
前記ウォーム駆動部からの前記軸方向の荷重の少なくとも一部は前記レース・ケーブルにかかる張力によって生じ、この張力は、前記レース・スプールと前記ウォーム・ギアとの間の機械的な結合を通じて、前記レース・ケーブルから前記レース・スプールにかかる回転力として、前記ウォーム駆動部へと伝達される、
請求項１に記載の駆動装置。
【請求項３】
前記レース・ケーブルは、前記張力が、前記ウォーム駆動部に対して前記ギヤ・ボックスから離れる軸方向の荷重を生成するように、前記レース・スプール上へと回される、
請求項２に記載の駆動装置。
【請求項４】
前記ウォーム駆動部は、前記ウォーム駆動部の第１端面上にウォーム駆動キーを含み、
前記第１端面は前記ギヤ・ボックスに隣接する、
請求項１に記載の駆動装置。
【請求項５】
前記ウォーム駆動キーは、前記ウォーム駆動部の前記第１端面を、その直径の少なくとも一部分を通じて二分するスロットである、
請求項４に記載の駆動装置。
【請求項６】
前記駆動軸は、前記ウォーム駆動キーに係合するように、前記ギヤ・ボックスに隣接して半径方向に延びるピンを含む、
請求項５に記載の駆動装置。
【請求項７】
前記レース・スプールは、クラッチ機構を通じて前記ウォーム・ギアに連結され、
前記クラッチ機構の非作動時には前記レース・スプールの自由な回転が許容される、
請求項１〜６のうち何れか一項に記載の駆動装置。
【請求項８】
前記レース・スプールは、前記レース・スプールのスプール軸部から軸線方向の一方に延びる接続ピンにより前記ウォーム・ギアにキー係合され、
前記接続ピンは、前記ウォーム・ギアの方向が逆にされるときに、前記接続ピンが前記ウォーム・ギア上のキーと接触される前に、前記ウォーム・ギアの一回転を可能にするように、前記ウォーム・ギア上の前記キーによって接触される、
請求項１〜６のうち何れか一項に記載の駆動装置。
【誤訳訂正２】
【訂正対象書類名】明細書
【訂正対象項目名】０００５
【訂正方法】変更
【訂正の内容】
【０００５】
例１は、駆動装置を収容する電動式レーシング・エンジンを含む自動化されたフットウェア・プラットフォーム（ｆｏｏｔｗｅａｒ  ｐｌａｔｆｏｒｍ）を含む主題を説明している。この例では、駆動装置は、ギヤ・モータと、ギヤ・ボックスと、ウォーム駆動部と、ウォーム・ギアとを含むことができる。ギヤ・ボックスはギヤ・モータに機械的に結合されることができ、ギヤ・モータの反対側に延びる駆動軸を含むことができる。ウォーム駆動部は、ギヤ・モータの作動に応じてウォーム駆動部の回転を制御するために、駆動軸にスライド可能にキー係合されることができる。ウォーム・ギアは、ウォーム駆動部の回転に応じてウォーム・ギアの回転を生じさせるために、ウォーム駆動部のねじ面に係合するギア歯を含むことができる。ウォーム・ギアは、フットウェア・プラットフォーム上のレース・ケーブルを締め付けるかもしくは緩めるために、ウォーム駆動部の回転時にレース・スプールを回転させることができる。
【誤訳訂正３】
【訂正対象書類名】明細書
【訂正対象項目名】００１２
【訂正方法】変更
【訂正の内容】
【００１２】
例１０では、例１〜８のいずれか１つの主題は、任意に、レース・スプールのスプール軸部から軸線方向の一方に延びる接続ピンによりウォーム・ギアにキー係合され、駆動装置がレース・スプールに再係合する前に反転されたときに、ウォーム・ギアが実質的に一回転することを許容する、レース・スプールを含むことができる。
【誤訳訂正４】
【訂正対象書類名】明細書
【訂正対象項目名】００１４
【訂正方法】変更
【訂正の内容】
【００１４】
例１２では、例１１の主題は、任意に、ウォーム・ギアから受けた軸方向の荷重を、ギヤ・ボックス及びモータから離れる方向に伝えるために、駆動軸にスライド可能にキー係合されるウォーム駆動部を含むことができる。
【誤訳訂正５】
【訂正対象書類名】明細書
【訂正対象項目名】００２１
【訂正方法】変更
【訂正の内容】
【００２１】
例２１では、例１１〜１９のいずれかの主題は、任意に、レース・スプールのスプール軸部から軸線方向の一方に延びる接続ピンによりウォーム・ギアにキー係合され、駆動装置がレース・スプールに再係合する前に反転されたときに、ウォーム・ギアが実質的に一回転することを許容する、レース・スプールを含むことができる。
【手続補正書】
【提出日】令和3年3月9日(2021.3.9)
【手続補正１】
【補正対象書類名】特許請求の範囲
【補正対象項目名】全文
【補正方法】変更
【補正の内容】
【特許請求の範囲】
【請求項１】
ウェアラブルデバイスを使用した決済方法であって、
商店デバイス端末において、前記ウェアラブルデバイスにより送信される決済トークンを受信するステップであって、前記決済トークンが、前記ウェアラブルデバイスのユーザ鍵に基づいて決済サーバによって生成される、ステップと、
前記商店デバイス端末から前記決済サーバに、検証のために前記決済トークンを送信するステップと、
前記商店デバイス端末において、前記決済サーバにより返されるサービスコンテンツを受信するステップと、
前記商店デバイス端末によって、前記検証が成功した後に、前記ウェアラブルデバイスのユーザに対して前記サービスコンテンツを提供するステップであって、前記決済トークンが検証された後に、前記決済サーバが決済処理を実行する、ステップと
を備える、ウェアラブルデバイスを使用した決済方法。
【請求項２】
前記ウェアラブルデバイスにより送信される前記ウェアラブルデバイスの前記決済トークンが、Ｂｌｕｅｔｏｏｔｈ（登録商標）又はＮＦＣを介して前記商店デバイス端末により受信される、請求項１に記載のウェアラブルデバイスを使用した決済方法。
【請求項３】
ウェアラブルデバイスを使用した決済方法であって、ウェアラブルデバイスによって実行され、
ユーザの事前に定めた命令を受信するステップと、
前記ウェアラブルデバイスの決済トークンを商店デバイス端末に送信するステップであって、前記決済トークンが、前記ウェアラブルデバイスのユーザ鍵に基づいて決済サーバによって生成され、前記決済トークンが前記事前に定めた命令に基づいて送信され、前記商店デバイス端末は、前記決済トークンに基づいて検証を実行し、かつ前記検証が成功した後に前記ユーザにサービスコンテンツを提供し、前記決済サーバが、前記決済トークンが検証された後に、決済処理を実行する、ステップと
を備える、ウェアラブルデバイスを使用した決済方法。
【請求項４】
前記ウェアラブルデバイスにより送信される前記ウェアラブルデバイスの前記決済トークンが、Ｂｌｕｅｔｏｏｔｈ（登録商標）又はＮＦＣを介して前記商店デバイス端末により受信される、請求項３に記載のウェアラブルデバイスを使用した決済方法。
【請求項５】
前記事前に定めた命令が、
前記ウェアラブルデバイスが前記ユーザのタップ命令を受信し、かつタップ頻度が第１の所定の頻度範囲内にあるか、
前記ウェアラブルデバイスが前記ユーザのシェイク命令を受信し、かつシェイク頻度が第２の所定頻度範囲内にあるか、または
前記ウェアラブルデバイスが前記ユーザの回転命令を受信し、回転振幅が所定の振幅範囲内にある
という条件を満たす場合に、受信対象であると認識される、請求項４に記載のウェアラブルデバイスを使用した決済方法。
【請求項６】
ウェアラブルデバイスを使用した決済方法であって、決済サーバによって実行され、
商店デバイス端末によって送信された前記ウェアラブルデバイスの決済トークンを受信するステップであって、前記決済トークンが、前記ウェアラブルデバイスのユーザ鍵に基づいて決済サーバによって生成される、ステップと、
前記決済トークンに基づいて検証を実行するステップと、
前記検証が成功した後に、前記商店デバイス端末に前記商店デバイス端末に対応するサービスコンテンツを送信するステップと、
前記決済トークンが検証された後、決済処理を実行するステップと
を備える、ウェアラブルデバイスを使用した決済方法。
【請求項７】
前記決済サーバが決済処理を実行した後に、
前記決済サーバによって、前記ウェアラブルデバイスにバインドされたモバイルデバイスに決済通知を送信するステップ
をさらに備える、請求項６に記載のウェアラブルデバイスを使用した決済方法。
【請求項８】
請求項１または２に記載の方法に従って操作を実行するように構成される複数のモジュールを備える、商店デバイス端末。
【請求項９】
請求項３〜５のいずれか一項に記載の方法に従って操作を実行するように構成される複数のモジュールを備える、商店デバイス端末。
【請求項１０】
請求項６または７に記載の方法に従って動作を操作するように構成される複数のモジュールを備える、決済サーバ。
【手続補正書】
【提出日】令和2年12月10日(2020.12.10)
【手続補正１】
【補正対象書類名】特許請求の範囲
【補正対象項目名】全文
【補正方法】変更
【補正の内容】
【特許請求の範囲】
【請求項１】
少なくとも１個のセットアップパラメタに関しゾーナル分析を用いレシピセットアップ手順を実行するステップと、
少なくとも１個の計量指標に関し前記ゾーナル分析を用い計量ツールで計量計測を実行するステップと、
を有し、
前記ゾーナル分析が少なくとも１つのウェハに亘る前記少なくとも１個のセットアップパラメタの空間変数値を含み、前記ゾーナル分析が前記レシピセットアップ手順のランク付けフェーズ中に適用され、前記ゾーナル分析が少なくともウェハ中心をウェハエッジから区別するよう構成された同心ゾーン群に関して実行される、方法。
【請求項２】
請求項１に記載の方法であって、前記ゾーナル分析が前記レシピセットアップ手順のデータ収集フェーズ中と詳細標本化フェーズ中の少なくともいずれかに用いられる、方法。
【請求項３】
請求項１に記載の方法であって、前記少なくとも１個のセットアップパラメタが複数個のセットアップパラメタを含み、前記ゾーナル分析が相異なるパラメタに関する相異なるウェハゾーンを含む、方法。
【請求項４】
請求項１に記載の方法であって、前記少なくとも１個のセットアップパラメタが、感度、少なくとも１個の正確性指示子、少なくとも１個の目標品質指示子、少なくとも１個の性能指示子及び少なくとも１個のプロセス指示子のうちいずれかを含む、方法。
【請求項５】
請求項１に記載の方法であって、前記少なくとも１個の計量指標が複数個の計量指標を含み、前記ゾーナル分析が相異なる指標に関する相異なるウェハゾーンを含む、方法。
【請求項６】
請求項５に記載の方法であって、前記少なくとも１個の計量指標が、オーバレイ、残差、ツール性能パラメタ及び質指標のうちいずれかを含む、方法。
【請求項７】
請求項１に記載の方法であって、前記少なくとも１個の計量指標が、オーバレイ、残差、ツール性能パラメタ及び質指標のうちいずれかを含む、方法。
【請求項８】
請求項１に記載の方法であって、前記ゾーナル分析が空間連続様式で実行される、方法。
【請求項９】
請求項８に記載の方法であって、前記ゾーナル分析が可調スペクトル照明に関して実行され、前記少なくとも１個のセットアップパラメタが照明波長を含む、方法。
【請求項１０】
請求項１に記載の方法であって、前記ゾーナル分析が複数のウェハに関して実行される、方法。
【請求項１１】
請求項１に記載の方法であって、少なくとも部分的に、少なくとも１個のコンピュータプロセッサにより実行される、方法。
【請求項１２】
非一時的コンピュータ可読格納媒体を備えるコンピュータプログラム製品であって、前記非一時的コンピュータ可読格納媒体が、前記コンピュータプログラム製品によって体現されるコンピュータ可読プログラムを有し、該コンピュータ可読プログラムが請求項１に記載の方法を実行するよう構成されている、コンピュータプログラム製品。
【請求項１３】
請求項１２に記載のコンピュータプログラム製品を備える計量モジュール。